(57)【特許請求の範囲】
【請求項１】
水平方向に間隔をおいて設置される方立と、鉛直方向に間隔をおいて前記方立間に設置される無目とにより方形の開口枠を構成し、これら各方形開口枠部にパネルを嵌設するとともに、所定の開口枠部に対して前記パネルの室内側に耐火ボードを取り付けたカーテンウォールにおいて、
前記方立の左側面及び右側面が共に平面とされ、前記耐火ボードの取付対象となる開口枠部では、前記無目に対して直接的又は他部材を介して間接的に、開口枠上面及び開口枠下面をそれぞれ平面とするためのアタッチメント部材を取付け、前記耐火ボードを前記アタッチメント部材の室内外方向内の任意位置に取り付けたことを特徴とするカーテンウォールにおける耐火ボードの取付構造。
【請求項２】
水平方向に間隔をおいて設置される方立と、鉛直方向に間隔をおいて前記方立間に設置される無目とにより方形の開口枠を構成し、これら各方形開口枠部にパネルを嵌設するとともに、所定の開口枠部に対して前記パネルの室内側に耐火ボードを取り付けたカーテンウォールにおいて、
前記方立の左側面及び右側面が共に変断面形状とされ、前記耐火ボードの取付対象となる開口枠部では、前記無目に対して直接的又は他部材を介して間接的に、開口枠上面及び開口枠下面をそれぞれ平面とするためのアタッチメント部材を取付けるとともに、前記方立に対して直接的又は他部材を介して間接的に、開口枠左側面及び開口枠右側面をそれぞれ平面とするためのアタッチメント部材を取付け、前記耐火ボードを前記アタッチメント部材の室内外方向内の任意位置に取り付けたことを特徴とするカーテンウォールにおける耐火ボードの取付構造。
【請求項３】
前記耐火ボードの固定は、前記方立及び／又は無目に対してビス止めされる耐火ボードの室外側面を押さえる室外側支持部材と、前記方立及び／又は無目に対してビス止めされる耐火ボードの室内側面を押さえる室内側支持部材とによって挟持する支持構造である請求項１、２いずれかに記載のカーテンウォールにおける耐火ボードの取付構造。
【発明の詳細な説明】
【技術分野】
【０００１】
本発明は、カーテンウォールのパネル背面側に設置される耐火ボードの取付構造に関する。
【背景技術】
【０００２】
従来よりカーテンウォール構造においては、採光を必要とするパネル部以外の部分にはパネルに近接してその室内側位置に耐火ボードが取り付けられる。
【０００３】
具体的には、図４に示されるように、水平方向に間隔をおいて設置される方立５０，５０…と、鉛直方向に間隔をおいて前記方立５０，５０間に設置される無目５１，５１…とにより方形の開口枠を構成し、これら各方形開口枠に対してガラス等のパネルＧを嵌設することによりカーテンウォールが構成され、採光を必要とするパネル部以外、例えば床版を跨ぐ腰部及び天井部等では、前記無目５１の背面側にボード取付枠材５２、５３を配設し、耐火ボード５４を設置するようにしている。このような耐火ボードの取付構造は、ごく一般的に採用されている構造であり、具体的には例えば下記特許文献１〜３等を挙げることができる。
【特許文献１】特開２０００−３０３６００号公報
【特許文献２】特開２００２−２０６３００号公報
【特許文献３】特開２００３−３４３０８２号公報
【発明の開示】
【発明が解決しようとする課題】
【０００４】
前記カーテンウォールを室外側から見た場合、前記耐火ボードが存在する横ライン部分の色調が他の部分と比較して暗く見え、この横ラインが意匠的なアクセントとなる。しかしながら、施主によっては、耐火ボードが存在する横ライン部分を極力他のパネル部分と同一に見えるようにしたい等の要求があったり、前記横ラインが単調過ぎるため、高さ毎に色調を変化させたい等の要求があったりする場合がある。
【０００５】
そこで本発明の主たる課題は、カーテンウォールの背面側に設置される耐火ボードの取付位置を任意に変更可能として、デザインバリエーションの多様化を図ることにある。
【課題を解決するための手段】
【０００６】
前記課題を解決するために請求項１に係る本発明として、水平方向に間隔をおいて設置される方立と、鉛直方向に間隔をおいて前記方立間に設置される無目とにより方形の開口枠を構成し、これら各方形開口枠部にパネルを嵌設するとともに、所定の開口枠部に対して前記パネルの室内側に耐火ボードを取り付けたカーテンウォールにおいて、
前記方立の左側面及び右側面が共に平面とされ、前記耐火ボードの取付対象となる開口枠部では、前記無目に対して直接的又は他部材を介して間接的に、開口枠上面及び開口枠下面をそれぞれ平面とするためのアタッチメント部材を取付け、前記耐火ボードを前記アタッチメント部材の室内外方向内の任意位置に取り付けたことを特徴とするカーテンウォールにおける耐火ボードの取付構造が提供される。
【０００７】
上記請求項１記載の本発明においては、少なくとも前記無目に対して直接的又は他部材を介して間接的に、開口枠上面及び開口枠下面をそれぞれ平面とするためのアタッチメント部材を取付け、前記耐火ボードを前記アタッチメント部材の室内外方向内の任意位置に取り付けできるようにした。従って、耐火ボードを室外側に寄せて取り付けたり、室内側に寄せて取り付けたり、その中間に取り付けたり、任意の位置で取付けが可能となるため、奥行き感を演出したり、高さ毎に取付け位置を変化させて色調を変化させたりするなど、デザインバリエーションの多様化を図ることができる。
【０００８】
請求項２に係る本発明として、水平方向に間隔をおいて設置される方立と、鉛直方向に間隔をおいて前記方立間に設置される無目とにより方形の開口枠を構成し、これら各方形開口枠部にパネルを嵌設するとともに、所定の開口枠部に対して前記パネルの室内側に耐火ボードを取り付けたカーテンウォールにおいて、
前記方立の左側面及び右側面が共に変断面形状とされ、前記耐火ボードの取付対象となる開口枠部では、前記無目に対して直接的又は他部材を介して間接的に、開口枠上面及び開口枠下面をそれぞれ平面とするためのアタッチメント部材を取付けるとともに、前記方立に対して直接的又は他部材を介して間接的に、開口枠左側面及び開口枠右側面をそれぞれ平面とするためのアタッチメント部材を取付け、前記耐火ボードを前記アタッチメント部材の室内外方向内の任意位置に取り付けたことを特徴とするカーテンウォールにおける耐火ボードの取付構造が提供される。
【０００９】
上記請求項２記載の本発明は、前記方立の左側面及び右側面が共に変断面形状とされるため、前記方立に対しても、直接的又は他部材を介して間接的に、開口枠左側面及び開口枠右側面をそれぞれ平面とするためのアタッチメント部材を取付けるものである。元々、方立の左側面及び右側面が平面である場合には必要はないが、方立側面が変断面形状である場合には、前記開口枠上面及び開口枠下面と同様に、アタッチメント部材を取り付けることにより平面を形成することができる。
【００１０】
請求項３に係る本発明として、前記耐火ボードの固定は、前記方立及び／又は無目に対してビス止めされる耐火ボードの室外側面を押さえる室外側支持部材と、前記方立及び／又は無目に対してビス止めされる耐火ボードの室内側面を押さえる室内側支持部材とによって挟持する支持構造である請求項１、２いずれかに記載のカーテンウォールにおける耐火ボードの取付構造が提供される。
【００１１】
上記請求項３記載の発明は、耐火ボードの固定方法の一態様を提案するものである。
【発明の効果】
【００１２】
以上詳説のとおり本発明によれば、カーテンウォールの背面側に設置される耐火ボードの取付位置を任意に変更可能として、デザインバリエーションの多様化を図ることができる。
【発明を実施するための最良の形態】
【００１３】
以下、本発明の実施の形態について図面を参照しながら詳述する。
【００１４】
図１は本カーテンウォールの室外側からの姿図、図２は図１のII−II線矢視図、図３は図１のIII−III線矢視図である。
【００１５】
本カーテンウォール１は、水平方向に間隔をおいて設置される方立２，２…と、鉛直方向に間隔をおいて前記方立２，２間に設置される無目３…、４…とにより方形の開口枠を構成し、これら各方形開口枠部にガラスＧ、Ｇ…を嵌設したカーテンウォールであり、所定の開口枠部に対して前記パネルＧの室内側に耐火ボード５を取り付けてある。
【００１６】
前記方立２は、詳細には図３に示されるように、室内外方向に長い矩形状を成すとともに、隔壁２ａによって２室に区画された方立本体２Ａの室外面中央に部材長手方向に連続する突出片２Ｂが形成された形材であり、前記突出片２Ｂの両側に夫々、側枠６，７がビス１２により固定されるとともに、前記側枠６に断面略Ｔ字状の縦押縁８が連結されることにより、ガラスＧを嵌め込む嵌合溝Ｍが形成されている。前記ガラスＧは、前記嵌合溝Ｍにおいて、ガラスＧの室外側にバックアップ材９及び固形ビード１０が配設され、かつガラスＧの室内側に固形ビード１１が配設されることにより保持されている。
【００１７】
一方、無目３は、詳細には図２に示されるように、ガラスＧよりも室内側に位置する中空部３Ａの室外側に下方側に向けてガラス嵌合溝ＭＬを形成するための断面コ字状部３Ｂが連設されるとともに、この断面コ字状部３Ｂに横押縁１３が取り付けられることにより、上方側に向けてガラス嵌合溝ＭＵが形成される。前記ガラスＧは、前記嵌合溝ＭＬ、ＭＵにおいて、ガラスＧの室外側にバックアップ材９及び固形ビード１０が配設され、かつガラスＧの室内側に固形ビード１１が配設されることにより保持されている。また、前記無目３の室内側に鉛直に起立する起立壁３Ｃが設けられ、前記中空部３Ａと起立壁３Ｃとによって形成されるＬ字状部に横枠１４が設けられている。
【００１８】
前記無目３は、方立２に対して断面Ｌ字状の無目用支持ブラケット１６が設けられ、この無目用支持ブラケット１６に対し連結ボルト１７によって固定されている。
【００１９】
上記無目３部位においては、窓部の開口周りを形成するまぐさ板１５が取り付けられている。前記まぐさ板１５は、室外側に係止部１５ａを有するとともに、室内側にボルト固定部１５ｂを有する下面側が平面とされる部材であり、前記無目３の本体３Ａの室内側下端に連結された接続片１８に前記係止部１５ａを係合させ、方立２の室内側に設けられたブラケット部材１９にボルト固定部１５ｂをあてがい、ビス２０によって固定が図られている。なお、前記まぐさ板１５の下面及び上面は、樹脂またはゴム３３によって被覆されている。
【００２０】
また、前記無目３部位においては、前記耐火ボード５の取付け用開口枠を形成するため、開口枠下面を平面とするためのアタッチメント部材２１が取付けられている。前記アタッチメント部材２１は、室外側に係止部２１ａを有するとともに、室内側にボルト固定部２１ｂを有し、かつ少なくとも上面側の耐火ボード載置面を平面とした板状の部材であり、前記無目３の起立壁３Ｃの上端に連結された接続片２２に前記係止部２１ａを係合させ、方立２の室内側に設けられたブラケット部材２４にボルト固定部２１ｂを載せ、ビス２３によって固定が図られている。
【００２１】
他方、無目４は、詳細には図２に示されるように、ガラスＧよりも室内側に位置する中空部４Ａの室外側に下方側に向けてガラス嵌合溝ＭＬを形成するための断面コ字状部４Ｂが連設されるとともに、この断面コ字状部４Ｂに横押縁１３が取り付けられることにより、上方側に向けたガラス嵌合溝ＭＵが形成される。前記ガラスＧは、前記嵌合溝ＭＬ、ＭＵにおいて、ガラスＧの室外側にバックアップ材９及び固形ビード１０が配設され、かつガラスＧの室内側に固形ビード１１が配設されることにより保持されている。前記無目４は、方立２に対して断面Ｌ字状の無目用支持ブラケット１６が設けられ、この無目用支持ブラケット１６に対し連結ボルト１７によって固定されている。
【００２２】
上記無目４部位においては、窓部の開口周りを形成する膳板２５が取り付けられている。前記膳板２５は、室外側に係止部２５ａを有するとともに、室内側にボルト固定部２５ｂを有する上面側が平面とされる部材であり、前記無目４の本体４Ａの室内側上端に連結された接続片２６に前記係止部２５ａを係合させ、方立２の室内側に設けられたブラケット部材２７にボルト固定部２５ｂを載置し、ビス２８によって固定が図られている。なお、前記膳板２５の下面及び上面は、樹脂またはゴム３３によって被覆されている。
【００２３】
また、上記無目４部位においては、耐火ボード５の取付け用開口枠を形成するため、開口枠上面を平面とするためのアタッチメント部材２９が取付けられている。前記アタッチメント部材２９は、室外側に係止部２９ａを有するとともに、室内側にボルト固定部２９ｂを有し、かつ少なくとも前記耐火ボード５の設置側となる下面を平面とした板状の部材であり、前記無目４の本体４Ａの室内側下端に連結された接続片３０に前記係止部２９ａを係合させ、方立２の室内側に設けられたブラケット部材３１にボルト固定部２９をあてがい、ビス３２によって固定が図られている。
【００２４】
以上のように構成されるカーテンウォール１においては、耐火ボード５の取付け対象となる開口枠部は、前記アタッチメント部材２１、２９によって開口枠上面及び開口枠下面がそれぞれ平面で構成されるため、前記耐火ボード５を前記アタッチメント部材２１、２９の室内外方向内の任意位置に取り付けることが可能となる。
前記耐火ボード５の固定は、耐火ボード５の両側部については、図３に示されるように、耐火ボード５の室外側面を押さえる室外側支持部材３４，３４と、前耐火ボード５の室内側面を押さえる室内側支持部材３６，３６とによって挟持するようになっている。前記室外側支持部材３４及び室内側支持部材３６は、共に、矩形状の中空部３４ａ（３６ａ）より側方に突出する突出フランジ３４ｂ（３６ｂ）が形成された部材であり、前記突出フランジ３４ｂ（３６ｂ）を貫通するビス３７を方立２に螺入させることによって固定される。
【００２５】
一方、前記耐火ボード５の上端については、図２に示されるように、アタッチメント部材２９に断面Ｌ字状のアングル３８をビス３９によって取り付けることによって前記耐火ボード５の背面側が支持され、耐火ボード５の下端については、同図３に示されるように、前記アタッチメント部材２１に載置させるのみとしている。なお、前述した耐火ボード５の固定方法は一例を示したものであり、周囲４面が平面で囲まれた開口枠内に、板状の部材を固定する構造全般を採用することができる。
【００２６】
〔他の形態例〕
(1)上記形態例では、左側面及び右側面が共に平面である方立２を用いたが、側面に段差があるような変断面形状である場合には、前記開口枠上面及び開口枠下面と同様に、アタッチメント部材を取り付けることにより平面を形成することができる。
(2)上記形態例では、アタッチメント部材２１，２９を無目３，４に対して、接続片１８，２６を介して間接的に取り付けるようにしたが、前記アタッチメント部材２１，２９の室外側に断面Ｌ字状部を形成し、ビス等によって直接的に固定することもできる。
【図面の簡単な説明】
【００２７】
【図１】本カーテンウォールの室外側からの姿図である。
【図２】カーテンウォール縦断面図（図１のII−II線矢視図）である。
【図３】カーテンウォール横断面図（図１のIII−III線矢視図）である。
【図４】従来の耐火ボード取付け構造を示すカーテンウォール縦断面図である。
【符号の説明】
【００２８】
１…カーテンウォール、２…方立、３・４…無目、５…耐火ボード、６・７…側枠、８…縦押縁、１３…横押縁、１５…まぐさ板、２５…膳板、２１・２９…アタッチメント部材、３４…室外側支持部材、３６…室内側支持部材、Ｇ…ガラス
【図１】
0004767682.tif 000002
【図２】
0004767682.tif 000003
【図３】
0004767682.tif 000004
【図４】
0004767682.tif 000005